(57)【要約】 【課題】環状体の板状保持部と軸部材受入部間の弾性連結部材の伸縮で簡単に折り畳み、組み立てる立体型広告体。【解決手段】４つの角部を有する広告表示用環状体１を備え、折り畳み可能とともに横断面四角形となる立体型広告体Ａであって、軸部材２５を受入可能な軸部材受入部６と、向かい合う２つのそれぞれの角部２、４より、前記軸部材受入部方向に延びる平板部９と、該平板部に連続するとともに、前記立体型広告体Ａが立体状となったときに、軸部材受入部６に当接する当接部１０とを有する第１および第２の板状保持部７、８と、前記板状保持部の平板部と軸部材受入部６に固定され、当接部１０を軸部材受入部６に当接する方向に付勢する第１と第２の弾性連結部材１３、１４とを備え、軸部材受入部６に挿入可能な軸部材２５を備える立体型広告体。【選択図】図１
0003131831.tif 000002
【実用新案登録請求の範囲】
【請求項１】
広告を表示可能な薄板状材料により形成され、縦方向に延びる４つの角部を有する広告表示用環状体を備え、向かい合う２つの前記角部を接近する方向に押圧することにより折り畳み可能であるとともに、向かい合う２つの前記角部が離間する方向に広がることにより横断面四角形となる立体型広告体であって、
前記立体型広告体は、向かい合う２つの前記角部を結ぶ対角線と他の２つの角部を結ぶ対角線の交点となる位置に設けられるとともに、軸部材を受入可能な軸部材受入部と、向かい合う２つのそれぞれの前記角部より、前記軸部材受入部方向に延びる平板部と、該平板部に連続するとともに、前記立体型広告体が立体状となったときに、前記軸部材受入部に当接する当接部とを有する第１および第２の板状保持部と、一端が前記第１の板状保持部の前記平板部に固定され、他端が前記軸部材受入部に固定され、前記第１の板状保持部の前記当接部を前記軸部材受入部に当接する方向に付勢する第１の弾性連結部材と、一端が前記第２の前記板状保持部の前記平板部に固定され、他端が前記軸部材受入部に固定され、前記第２の板状保持部の前記当接部を前記軸部材受入部に当接する方向に付勢する第２の弾性連結部材とを備え、前記第１および第２の板状保持部が設けられていない２つの前記角部を押圧することにより折り畳み可能であり、かつ、前記２つの前記角部の押圧を解除することにより、前記１および前記２の弾性連結部の付勢力により、向かい合う２つの前記角部が離間する方向に広がり横断面四角形の立体状となるものであり、さらに、前記軸部材受入部に挿入可能な前記軸部材を備えることを特徴とする立体型広告体。
【請求項２】
前記軸部材受入部および前記２つの板状保持部は、前記弾性連結部材を挿通する挿通孔が設けられ、前記弾性連結部材は一端が前記軸部材受入部に設けた挿通孔に挿通されて軸部材受入部に留められるとともに他端が前記板状保持部に設けた挿通孔に挿通されて板状保持部に留められるものである請求項１に記載の立体型広告体。
【請求項３】
前記板状保持部と前記軸部材受入部は、広告表示用環状体と縦方向の幅が略同一又は狭いものである請求項１または２に記載の立体型広告体。
【請求項４】
前記板状保持部の当接部は、前記板状保持部の端部に設けられた縦方向に延びる板体である請求項１ないし３のいずれかに記載の立体型広告体。
【請求項５】
前記軸部材受入部は、横断面四角形の筒体である請求項１ないし４のいずれかに記載の立体型広告体。
【請求項６】
前記軸部材受入部の両面と、前記板状保持部の当接部および平板部には、前記弾性連結部材を平行に通す２つの挿通孔が設けられる請求項１ないし５のいずれかに記載の立体型広告体。
【請求項７】
下部又は上部に配置する立体型広告体の軸部材受入部は、内部に軸部材の端部を受け止める軸受け止め部が設けられる請求項１ないし６のいずれかに記載の立体型広告体。
【請求項８】
前記第１と第２の弾性連結部材は、ゴム紐である請求項１ないし７のいずれかに記載の立体型広告体。
【請求項９】
前記広告表示用環状体の少なくとも一面には広告、絵画、写真等各種表示が施される請求項１ないし８のいずれかに記載の立体型広告体。
【請求項１０】
前記軸部材は前記軸部材受入部に挿入する円形状のものである請求項１ないし９のいずれかに記載の立体型広告体。
【請求項１１】
前記軸部材は前記軸部材受入部に挿入する横断面四角形である請求項１ないし９のいずれかに記載の立体型広告体。
【請求項１２】
前記軸部材は、前記軸部材受入部に嵌合可能な横断面四角形軸部と円形状軸部を有する請求項１ないし９のいずれかに記載の立体型広告体。
【請求項１３】
前記軸部材に複数の前記立体型広告体を積み重ねる時、前記立体型広告体間に間隔を設けるための介装部材が備えられた請求項１ないし１２のいずれかに記載の立体型広告体。
【考案の詳細な説明】
【技術分野】
【０００１】
この考案は、周面に広告、図案、写真等表示を施し、折り畳み状態から自動的に開いて立体的とし、軸に積重ねて展示できる立体型広告体に関する。
【背景技術】
【０００２】
従来、スタンド型表示体として、前壁部と背壁部との間を脹らませて自立でき、何れの側をも正面として両面を表示に用いることを課題として、前壁部と背壁部との間の少なくとも底部を広げて立体化しうる手段が前壁部と背壁部との間に設けられているものが公開されている（特許文献１参照）。
【０００３】
【特許文献１】特開２００５−２１５６６３
【考案の開示】
【考案が解決しようとする課題】
【０００４】
特許文献１のスタンド型表示体は、前壁部と背壁部とを立体化させるために、
三角形状の台部を底部の前壁部と背壁部との間に装着すると共に、舟形状体の突っ張り片を天部の前壁部と背壁部との間に装着して、スタンド型表示体を筒状とするものであり、このスタンド型表示体を分解するには、突っ張り片の孔部を指を引っかけて取り外すと共に前記台部を底部より取り去り、前壁部と背壁部とを潰して平板状にし、折り曲げ部から二つ折りにするものです。
このスタンド型表示体では、台部と舟形状体は別に設けて、取り付けたり、取り外したりするので組み立て、折り畳みに手間がかかる問題があった。また、本願のような立体型広告体を複数積み上げて表示体を構成するものはなかった。
【０００５】
この考案は、このような問題点を解消するために、折り畳み可能な横断面四角形環状体の向かい合う角部に設けられた両側の板状保持部と中央の軸部材受入部との間に弾性連結部材が設けられ、折り畳み時弾性連結部材が伸張されて扁平に折り畳み、組み立て時にその弾性連結部材の付勢力により軸部材受入部の方へ引き寄せて自動的に横断面四角形の立体を構成でき、軸部材に複数備えて展示できる立体型広告体を提供することを目的とする。
【課題を解決するための手段】
【０００６】
上記目的を達成するものは、以下のものである。
（１）  広告を表示可能な薄板状材料により形成され、縦方向に延びる４つの角部を有する広告表示用環状体を備え、向かい合う２つの前記角部を接近する方向に押圧することにより折り畳み可能であるとともに、向かい合う２つの前記角部が離間する方向に広がることにより横断面四角形となる立体型広告体であって、
前記立体型広告体は、向かい合う２つの前記角部を結ぶ対角線と他の２つの角部を結ぶ対角線の交点となる位置に設けられるとともに、軸部材を受入可能な軸部材受入部と、向かい合う２つのそれぞれの前記角部より、前記軸部材受入部方向に延びる平板部と、該平板部に連続するとともに、前記立体型広告体が立体状となったときに、前記軸部材受入部に当接する当接部とを有する第１および第２の板状保持部と、一端が前記第１の板状保持部の前記平板部に固定され、他端が前記軸部材受入部に固定され、前記第１の板状保持部の前記当接部を前記軸部材受入部に当接する方向に付勢する第１の弾性連結部材と、一端が前記第２の前記板状保持部の前記平板部に固定され、他端が前記軸部材受入部に固定され、前記第２の板状保持部の前記当接部を前記軸部材受入部に当接する方向に付勢する第２の弾性連結部材とを備え、前記第１および第２の板状保持部が設けられていない２つの前記角部を押圧することにより折り畳み可能であり、かつ、前記２つの前記角部の押圧を解除することにより、前記１および前記２の弾性連結部の付勢力により、向かい合う２つの前記角部が離間する方向に広がり横断面四角形の立体状となるものであり、さらに、前記軸部材受入部に挿入可能な前記軸部材を備えることを特徴とする立体型広告体。
【０００７】
（２）  前記軸部材受入部および前記２つの板状保持部は、前記弾性連結部材を挿通する挿通孔が設けられ、前記弾性連結部材は一端が前記軸部材受入部に設けた挿通孔に挿通されて軸部材受入部に留められるとともに他端が前記板状保持部に設けた挿通孔に挿通されて板状保持部に留められるものである（１）に記載の立体型広告体。
（３）  前記板状保持部と前記軸部材受入部は、広告表示用環状体と縦方向の幅が略同一又は狭いものである（１）または（２）に記載の立体型広告体。
【０００８】
（４）  前記板状保持部の当接部は、前記板状保持部の端部に設けられた縦方向に延びる板体である（１）ないし（３）のいずれかに記載の立体型広告体。
（５）  前記軸部材受入部は、横断面四角形の筒体である（１）ないし（４）のいずれかに記載の立体型広告体。
（６）  前記軸部材受入部の両面と、前記板状保持部の当接部および平板部には、前記弾性連結部材を平行に通す２つの挿通孔が設けられている（１）ないし（５）のいずれかに記載の立体型広告体。
（７） 下部又は上部に配置する立体型広告体の軸部材受入部は、内部に軸部材の端部を受け止める軸受け止め部を設けた（１）ないし（６）のいずれかに記載の立体型広告体。
【０００９】
（８）  前記第１と第２の弾性連結部材は、ゴム紐である（１）ないし（７）のいずれかに記載の立体型広告体。
（９）  前記広告表示用環状体の少なくとも一面には広告、絵画、写真等各種表示を施した（１）ないし（８）のいずれかに記載の立体型広告体。
【００１０】
（１０）  前記軸部材は前記軸部材受入部に挿入する円形状のものである（１）ないし（９）のいずれかに記載の立体型広告体。
（１１）  前記軸部材は前記軸部材受入部に挿入する横断面四角形である（１）ないし（９）のいずれかに記載の立体型広告体。
（１２）  前記軸部材は前記軸部材受入部に嵌合可能な横断面四角形軸部と円形状軸部を有する（１）ないし（９）のいずれかに記載の立体型広告体。
（１３）  前記軸部材に複数の前記立体型広告体を積み重ねる時、前記立体型広告体間に間隔を設けるための介装部材が備えられた（１）ないし（１２）のいずれかに記載の立体型広告体。
【考案の効果】
【００１１】
この考案の立体型広告体によれば、第１および第２の板状保持部が設けられていない２つの角部を押圧し、第１および第２の板状保持部が設けられている２つの角部を弾性連結部材の引張力に抗して離間する方向に広げることにより扁平状に折り畳みでき、前記第１および第２の板状保持部が設けられていない２つの角部の押圧を解除することにより向き合う２つの角部に設けられた第１と第２の板状保持部が弾性連結部材の引張力により中央の軸部材受入部に引張られて、向き合う２つの角部が近づく方向に移動されるとともに他の向き合う第２の角部が離間する方向に広がり自動的に横断面四角形の立体状が構成でき、かつ第１と第２の板状保持部が筋交いの働きをして広げた状態に保持でき、この立体型広告体を軸部材に複数積み重ねるだけで立体型広告体を作成できるので便利である。
【００１２】
この立体型広告体は周囲の少なくとも１面に広告、図案、写真等表示が表示できるので、便利である。また搬送時、不使用時は折り畳んで扁平にできるので、保管、運搬時に便利である。
複数の立体型広告体を軸部材に同じ向き或いは異なる向きに備えることができるので、広告、図案、写真等の表示の趣向を変化させることができる。
【考案を実施するための最良の形態】
【００１３】
この考案の立体型広告体の実施形態を図面に基づいて説明する。図１はこの考案の立体型広告体を同じ向きとした立体型広告体の斜視図、図２は図１の中央縦断面図、図３は立体型広告体を異なる向きとした立体型広告体の斜視図、図４はこの考案の立体型広告体を示す斜視図、図５は立体型広告体の一部破断斜視図、図６は立体型広告体の一部破断平面図、図７は線図で示す立体型広告体の平面図、図８は図６の一部破断正面図、図９は筒体に受け止め部を備えた場合の断面図、図１０は板状保持部、軸部材受入部を幅狭とした別の実施例を示す断面図、図１１は立体型広告体を折り畳んだ状態の平面図を示す。
【００１４】
図１ないし図１０において、この考案の立体型広告体を説明する。
この考案の立体型広告体Ａは、４つの角部２、３、４、５を有する横断面四角形の環状体１と、軸部材受入部６と、第１および第２の板状保持部７、８と、第１の弾性連結部材１３、１４と、軸部材２５で構成される。
立体型広告体Ａは、広告を表示可能な薄板状材料により形成され、縦方向に延びる４つの角部２、３、４、５を有する広告表示用環状体１を備え、向かい合う２つの前記角部２、４を接近する方向に押圧することにより折り畳み可能であるとともに、向かい合う２つの前記角部３、５が離間する方向に広がることにより横断面四角形となるものである。
前記広告表示用環状体１と、軸部材受入部６と、第１および第２の板状保持部７、８は、板紙、ダンボール紙、合成樹脂シート、布製シート等シート部材で構成される。
前記立体型広告体Ａの前記環状体１の少なくとも一面には広告、絵画、写真等各種表示（図示せず）を印刷、描く、貼着等するのが好ましい。また、前記環状体１の周面には、個々に異なる広告、絵画、写真等各種表示を表示することも或いは連続した広告、絵画、写真等各種表示を表示することもできる。
【００１５】
前記立体型広告体Ａは、向かい合う２つの前記角部２、４を結ぶ対角線Ｘと他の２つの角部３、５を結ぶ対角線Ｙの交点となる位置に設けられるとともに、軸部材２５を受入可能な軸部材受入部６と、向かい合う２つのそれぞれの前記角部２、４より、前記軸部材受入部６の方向に延びる平板部９と、該平板部９に連続するとともに、前記立体型広告体Ａが立体状となったときに、前記軸部材受入部６に当接する当接部１０とを有する第１および第２の板状保持部７、８と、一端が前記第１の板状保持部７の前記平板部９に固定され、他端が前記軸部材受入部６に固定され、前記第１の板状保持部７の前記当接部１０を前記軸部材受入部６に当接する方向に付勢する第１の弾性連結部材１３と、一端が前記第２の前記板状保持部８の前記平板部９に固定され、他端が前記軸部材受入部６に固定され、前記第２の板状保持部８の前記当接部１０を前記軸部材受入部６に当接する方向に付勢する第２の弾性連結部材１４とを備え、前記第１および第２の板状保持部が設けられていない２つの前記角部３、５を押圧することにより折り畳み可能であり、かつ、前記２つの前記角部３、５の押圧を解除することにより、前記１および前記２の弾性連結部材１３、１４の付勢力により、向かい合う２つの前記角部が離間する方向に広がり横断面四角形の立体状となるものである。
そして、前記軸部材受入部６に挿入可能な前記軸部材２５を備える。
この立体広告体Ａの軸部材受入部６を軸部材２５に挿入して複数個積み重ねて立体広告体を構成する。
【００１６】
図６において、前記横断面四角形の環状体１は２つの直角形状に折り曲げた板体を向かい合わせて両端を接着して構成され、角部３、５を頂点とする３角形の２辺の端部の一方に折り目を介して板状保持部７、８が設けられ、他方には折り目を介して接着片１８が設けられる。この２つの直角形状に折り曲げた板体の一端の折り目１１で折り曲げて設けた板状保持部７、８の平板部９の基部９ａに他端の折り目で折り曲げた接着片１８を接着剤で接着して四角形の環状体１を構成する。そして、四角形の環状体１の角部２、４に板状保持部７、８が折り目１１より折り曲げられ、自由端９ｂがその折り目１１を支点として可動可能に設けられる。当接部１０は自由端の折り目１２より折り曲げられ、前記軸部材受入部６の側面に当接可能とされている。この当接部１０は軸部材受入部６の側面に合致する四角形として当接時に軸部材受入部の両面を挟持させる。
四角形の環状体と板状保持部の設け方は、これに限るものではなく、四角形の環状体を設けて別に設けた板状保持部を取付て構成することもできる。
【００１７】
図３、図１２、図１３において、前記軸部材受入部６は、該立体型広告体Ａとほぼ同じ高さであり、かつ向かい合う角部２、４を結ぶ対角線Ｘと向かい合う角部３、５を結ぶ対角線Ｙの交点に備えられ、内部に軸部材２５が挿通可能に設けられる。
軸部材受入部６は、横断面四角形の筒体であり、両側面６ａは前記板状保持部７、８の自由端の当接部１０が当接可能な面積を有する。
筒体の軸部材受入部６は内部に受け止め部を設けないものと、受け止め部１９を設けたものとすることができる。
【００１８】
図１２は軸部材受入部の斜視図、図１３は受け止め部を設けた軸部材受入部の斜視図を示す。
図１２の軸部材受入部は、軸部材２５に積み上げるときに中間に使用するもので、受け止め部を設けないで貫通した構造であり、積み重ねる場合に中間に使用するものである。
図１３の軸部材受入部は、上または下に使用するもので、軸部材受入部６の一端寄りに受け止め部１９が設けられ、軸部材２５が軸部材受入部６の受け止め部１９で受け止められる。図１３に示す軸部材受入部６の内部に受け止め部１９を設けたものは、上下に使用するものである。上部の立体型広告体Ａに使用する軸部材受入部６は受け止め部１９が上端寄りに設けられ、また、下部の立体型広告体Ａに使用する軸部材受入部６は受け止め部１９が下端寄りに設けられる。
【００１９】
前記軸部材受入部６の内部に設ける受け止め部１９は、角形軸部材受入部６の１つの角部に対して直交する方向に所定間隔をおいて平行に切り込み２０を中間まで入れ、その切り込み２０の切り込み端を結ぶ線を折り目２１とし、折り目２１より角部を内側に折り込んで軸部材受入部の内部に断面Ｌ形の突出部２２が設けられ、その突出部２２の上面または下面が受け止め面となる。図２に示すように、積み上げる立体型広告体の一番上と一番下になる立体型広告体の軸部材受入部６の受け止め部１９の端面間に軸部材２５が備えられている。軸部材２５に軸部材受入部６を備える構造は、これに限られるものではない。
【００２０】
図１ないし図９において、板状保持部７、８は、前記立体型広告体Ａとほぼ同じ高さで、向かい合う２つのそれぞれの前記角部２、４より、前記軸部材受入部６の方向に延びる平板部９と、該平板部９に連続するとともに、前記立体型広告体Ａが立体状となったときに、前記軸部材受入部６に当接する当接部１０とを有する。
板状保持部７、８は、立体型広告体Ａを横断面四角形とするとき向かい合う角部２、４を結ぶ対角線Ｘの方向に位置して自由端が前記軸部材受入部６に当接する長さであり、前記向かい合う角部２、４に基部９ａが固定されて自由端９ｂが可動可能に備えられる。前記一方の板状保持部７は前記軸部材受入部６と角部２、４を結ぶ対角線Ｘの一方側に角部３の折り目１１より傾斜状に備えられ、かつ他方の板状保持部８は前記軸部材受入部６と角部２、４を結ぶ対角線Ｘの他方側に角部５の折り目１１より前記一方の板状保持部７の傾斜とは対称とした傾斜状に備えられる。
前記板状保持部７、８の当接部１０は、前記板状保持部の端部に折り目１２を介して設けられた縦方向に延びる板体で、折り目１２を支点として当接部１０が鋭角ないし直角に、或いは逆に鈍角ないしほぼ真っ直ぐに屈曲可能とされている。両側の板状保持部７、８に折り目１２を介して連続される当接部１０は前記軸部材受入部６の側面６ａに当接可能とされている。
前記板状保持部７、８と前記軸部材受入部６の縦方向の幅は、環状体と同じに限るものではなく、例えば、図１０に示すように、前記板状保持部７、８と前記軸部材受入部６の縦方向の幅を環状体１の縦方向の幅より狭くすることができる。
【００２１】
前記軸部材受入部６および前記２つの板状保持部７、８との間を弾性連結部材１３、１４で連結するために、前記軸部材受入部６および前記２つの板状保持部７、８の平板部９と当接部１０とに弾性連結部材１３、１４を挿通する挿通孔１５、１６、１７が設けられ、前記弾性連結部材１３、１４は一端が前記軸部材受入部６に設けた挿通孔１５に挿通されて軸部材受入部６に留められ、当接部１０の挿通孔１６に通されるとともに他端が前記板状保持部７、８の平板部９に設けた挿通孔１７に挿通されて板状保持部７、８に留められる。
前記軸部材受入部６の側面６ａに弾性連結部材を挿通する２つの挿通孔１５、前記板状保持部７、８の当接部１０に弾性連結部材を挿通する２つの挿通孔１６、板状保持部７、８の平板部９に弾性連結部材を挿通する２つの挿通孔１７が同じ間隔をおいて設けられている。前記軸部材受入部６の側面６ａにはほぼ中央に２つの挿通孔１５、板状保持部７、８の当接部１０にはほぼ中央に２つの挿通孔１６、また、平板部９には自由端９ｂ寄りの位置で中央に２つの挿通孔１７が設けられている。
【００２２】
前記弾性連結部材１３、１４は前記挿通孔１５、１６、１７を通じて両端が軸部材受入部６と両側の板状保持部７、８とに留められ、折り畳み状態には前記軸部材受入部と前記一対の板状保持部とが付勢力すなわち復元力に抗して離反され、かつ四角形の横断面四角形態には付勢力で近接する方向に常時付勢される。前記弾性連結部材１３、１４は環状体１の折り畳み状態とするとき、付勢力に抗して最大に伸ばされ、また、環状体１を四角形状態とするとき、付勢力により縮ませて板状保持部の自由端の当接部１０が中央の軸部材受入部６の側面６ａに当接するようにする。前記弾性連結部材１３、１４は、例えば、ゴム紐とする。ゴム紐は挿通孔１５、１６、１７に遊動自由に挿入され、環状体を折り畳み状態と横断面四角形とに変位するためのストロークだけ伸縮可能とする。実施例では、前記軸部材受入部６の側面６ａの２つの挿通孔１５、当接部１０の２つの挿通孔１６、平板部９の２つの挿通孔１７にゴム紐が平行に備えられる。
【００２３】
中央の軸部材受入部６と両側の板状保持部７、８との間にゴム紐を装着する場合を説明する。
ゴム紐は軸部材受入部６の側面６ａの上下２箇所の挿通孔１５の１方の挿通孔１５から挿入して内面でコ字状に折り曲げて他方の挿通孔１５から出し、ゴム紐の両端を板状保持部７、８の自由端側の当接部１０の上下２箇所の挿通孔１６を通して板状保持部７、８の中央部の上下２箇所の挿通孔１７を通じて一方側から他方側に通し、他方側において端部に抜け止め部材２３が取り付けられる。ゴム紐の長さは環状体を四角形とするときに、軸部材受入部６と、板状保持部７、８の当接部１０と、板状保持部７、８の中央部を結ぶ長さより若干短い長さとして常時軸部材受入部側に付勢できるようにする。
【００２４】
ゴム紐の伸縮は、環状体を折り畳み状態とするとき、図１１に示すように当接部１０と平板ぶ９が「へ」の字状に伸ばされて、軸部材受入部と板状保持部の中央部に保持したゴム紐が最大長に伸び、環状体を正方形にするときは、図６、図７に示すようにゴム紐の復元力で板状保持部７、８が軸部材受入部６側に引き寄せられて最小長に縮み、当接部１０の先端が軸部材受入部６に当たって当接部１０が平板部９に対して鋭角に曲げられて軸部材受入部６の側面６ａに当接され、軸部材受入部６が両側の当接部１０で弾力的に挟持状態とされる。
板状保持部７、８の自由端の当接部１０が軸部材受入部６の両面にゴム紐の付勢力で当接されることにより正方形の環状体の角部２、４を結ぶ対角線Ｘ上で両側の板状保持部、軸部材受入部が一列状態で結合され、軸部材受入部は板状保持部でぐらつくことなく保持される。環状体１が四角形とされるとき、角部２、４を結ぶ対角線Ｘ上の両側の板状保持部７、８が中央の軸部材受入部６にゴム紐で当接されることにより、筋交いの役目をするので、組み立てた四角形が無闇に歪むことがない。
前記抜け止め部材２３は、例えばゴム紐の端部を挿入して留める留め部材である。留め金は例えば金属製の板体で、中間にゴム紐を通す穴が設けられ、ゴム紐を通して端部を結び目を設けて抜けないように留め、ゴム紐に張力がかかるも板状保持部７、８の挿通孔１７より抜けないようにしてある。
【００２５】
図１４ないし図１６に軸部材の実施例を示す。図１４は、横断面円形の軸部材の斜視図、図１５は横断面角形の軸部材の斜視図、図１６は横断面が円形部と角形部を設けた軸部材の斜視図、図１７は介在部材の斜視図である。
図１４において、前記軸部材２５は、前記軸部材受入部に挿入する横断面円形のものである。この軸部材２５に立体型広告体Ａの各環状体１の軸部材受入部６を回転自由に備える。軸部材２５が横断面円形の場合には、環状体１の軸部材受入部６を回転自由に備えることができる。
図１５において、前記軸部材受入部６に挿入する横断面四角形の軸部材２６である。軸部材２６が横断面四角形の場合には、環状体１を所望の向きとして前記軸部材受入部６を備えることができる。
図１６において、前記軸部材受入部６に挿入する横断面四角形軸部と円形状軸部を有する軸部材２７である。
軸部材の形状は、前記のものに限るものでなく、前記軸部材受入部６に嵌合できる形状であればよい。
【００２６】
図１に示す立体型広告体Ａは、複数の環状体１を真っ直ぐに積み重ねた場合である。
図１、図３では、一番上と一番下の立体型広告体Ａの軸部材受入部６は図１３に示すものであり、軸部材２５が一番上と一番下の立体型広告体Ａの軸部材受入部６の受け止め部１９間に備えられている。中間に設ける立体型広告体Ａの軸部材受入部６は図１２に示すものである。立体型広告体Ａを構成する環状体１の軸部材受入部６が断面円形の軸部材２５に回転可能に備えられている。
前記軸部材２５に複数の前記立体型広告体Ａを積み重ねる時、前記立体型広告体Ａ間に間隔を設けるための介装部材２８が備えられて、各立体型広告体Ａの回転を円滑にできるようにする。
介装部材２８は、軸部材２５を挿通する穴を有する円形、四角形等適宜形状の座板であり、各立体型広告体Ａの軸部材受入部６間に備えて、立体型広告体Ａが回転しやすくする。介装部材２８は、積み重ねる立体型広告体Ａ、軸部材受入部６等の間にできる間隙に応じた厚みとする。
実施例では、軸部材は断面円形の棒状の場合で、軸部材受入部６の受け止め部１９間に備える場合を示したが、これに限られるものでなく、、例えば、軸部材を立体型広告体の上下に露出するようにもでき、或いは軸部材は床などに置くことが出来るように下部に据え付ける台等を取り付けてもよい。介装部材は軸部材に固定して設けてもよい。
【００２７】
図１、図３に示す立体型広告体は、軸部材に回転自由に備えられたもので、周囲の各面の広告、図案、写真等表示を何れの方向からも見ることができて便利である。広告、図案、写真等表示をした立体型広告体を複数積み重ねて立体型広告体の表示面に個々に異なる或いは連続した広告、絵画、写真等各種表示を表示することができ、使用価値を向上できる。実施例では、軸部材は断面正方形の棒状の場合を示したが、これに限られるものではなく、他の形状でもよく、また、例えば、軸部材を立体型広告体の上下に露出するようにもでき、或いは軸部材は床などに置くことが出来るように下部に据え付ける台等を取り付けてもよい。
【００２８】
図１８は、この考案の立体型広告体を同じ向きに積んだ場合の斜視図である。
図１８に示す立体型広告体Ａは、軸部材２６が断面四角形であり、各立体型広告体Ａを９０度向きを変え、回転方向には固定的に積み重ねた場合を示す。
複数の立体型広告体Ａを軸部材２６に異なる向きに備えることにより、広告、図案、写真等の表示の趣向を変化させることができる。複数の立体型広告体Ａを同じ向きの備えることもできる。
【００２９】
この考案の立体型広告体を組み立てる場合について説明する。
ゴム紐の基端部は中央の軸部材受入部の挿通孔を介して内部でコ字状に折り曲げて保持され、そのゴム紐の両端は両側の当接部の挿通孔を通して板状保持部の挿通孔に挿通されて端部を抜け止め部材で留め、板状保持部と軸部材受入部とがゴム紐で常時近づく方向に付勢されているので、立体型広告体Ａの環状体を折り畳むときは、角部３、５を外部より押圧して相互に近接させ、中央の軸部材受入部に対して環状体の角部２、４が離反する方向にゴム紐が伸ばされて板状保持部が離反されて環状体が折り畳まれ、また、組み立てるときは、角部３、５の押圧を解除することにより、ゴム紐の復元力で中央の軸部材受入部に両側の板状保持部が引き寄せられて、環状体の角部２、４が近づく方向に引っ張られ、横断面四角形に組み立てられる。
この横断面四角形の環状体１の軸部材受入部６を軸部材２５、２６、２７に介装部材２８を介在させて備えて立体型広告体が構成される。
【００３０】
この考案の立体型広告体によれば、前記両側の板状保持部は角部に基端を固定して自由端を可動自由とし、左右の板状保持部の平板部と当接部と、中央の軸部材受入部との間にゴム紐により左右均等の張力がかけられるているので、ゴム紐に抗して環状体を左右対称に折り畳みができ、かつゴム紐の付勢力で左右対称に横断面四角形に組み立てできる。この組み立てた環状体を積み重ねて簡単に立体型広告体を構成できる。
また搬送時、不使用時には、立体型広告体を構成する各環状体を折り畳んで小容積として収納保管、搬送等ができる。
【００３１】
この考案は上記実施形態に限定されるものではなく、この考案の要旨を逸脱しない範囲で、種々の形態を実施しうるものである。
【図面の簡単な説明】
【００３２】
【図１】この考案の立体型広告体で、立体型広告体を同じ向きとした斜視図である。
【図２】図１の中央縦断面図である。
【図３】立体型広告体を異なる向きとした斜視図である。
【図４】この考案の立体型広告体を示す斜視図である。
【図５】立体型広告体の一部破断斜視図である。
【図６】立体型広告体の一部破断平面図である。
【図７】線図で示す立体型広告体の平面図である。
【図８】図６の一部破断正面図である。
【図９】軸部材受入部に受け止め部を備えた場合の断面図である。
【図１０】板状保持部、軸部材受入部を幅狭とした別の実施例を示す断面図である。
【図１１】立体型広告体を折り畳んだ状態の平面図である。
【図１２】軸部材受入部の斜視図である。
【図１３】受け止め部を設けた軸部材受入部の斜視図である。
【図１４】断面円形の軸部材の斜視図である。
【図１５】断面角形の軸部材の斜視図である。
【図１６】円形部と角形部を設けた軸部材の斜視図である。
【図１７】介在部材の斜視図である。
【図１８】この考案の立体型広告体を同じ向きに積んだ場合の斜視図である。
【符号の説明】
【００３３】
Ａ  立体型広告体
１  環状体
２  角部
３  角部
４  角部
５  角部
６  軸部材受入部
７  板状保持部
８  板状保持部
９    平板部
１０  当接部
１１  折り目
１２  折り目
１３  弾性連結部材
１４  弾性連結部材
１５  挿通孔
１６  挿通孔
１７  挿通孔
１９  受け止め部
２３  抜け止め部材
２５  軸部材
２６  軸部材
２７  軸部材
２８  介装部材
【図１】
0003131831.tif 000003
【図２】
0003131831.tif 000004
【図３】
0003131831.tif 000005
【図４】
0003131831.tif 000006
【図５】
0003131831.tif 000007
【図６】
0003131831.tif 000008
【図７】
0003131831.tif 000009
【図８】
0003131831.tif 000010
【図９】
0003131831.tif 000011
【図１０】
0003131831.tif 000012
【図１１】
0003131831.tif 000013
【図１２】
0003131831.tif 000014
【図１３】
0003131831.tif 000015
【図１４】
0003131831.tif 000016
【図１５】
0003131831.tif 000017
【図１６】
0003131831.tif 000018
【図１７】
0003131831.tif 000019
【図１８】
0003131831.tif 000020